(57)【要約】【課題】カートリッジに収容した固着剤と一緒に使用することなく、また固着剤の硬化前にも荷重を孔に支持できるアンカー素子を得る。【解決手段】収容孔に固着剤により係止するアンカー素子であり、ロッド状アンカー部分１１と、このアンカー部分に対して連結可能なスリーブ部分２１とを具え、ロッド状のアンカー部分１１のための収容部１９をスリーブ部分２１の端部に設けたアンカー素子１０において、スリーブ部分２１の外面に少なくとも部分的な急勾配ねじ山部２９を設け、スリーブ部分２１の収容部１９とは反対側の端部に少なくとも１個の側方開口部２６を設ける。スリーブ部分２１の長手方向軸線２０にほぼ平行な２個の領域３０に配置した急勾配ねじ山部２９が孔壁への仮止めを行い、据え付けた後にアンカー素子のチャンネル１３，２３および側方開口部２６から孔の隙間に固着剤を注入する。【選択図】図１
2006112625.tif 000002
【特許請求の範囲】
【請求項１】
収容孔に固着剤により係止するアンカー素子であって、ロッド状アンカー部分（１１）と、このアンカー部分に対して連結可能なスリーブ部分（２１）とを具え、ロッド状のアンカー部分（１１）のための収容部（１９）を前記スリーブ部分（２１）の端部に設けた該アンカー素子において、前記スリーブ部分（２１）の外面に少なくとも部分的な急勾配ねじ山部（２９）を設け、前記スリーブ部分（２１）の前記収容部（１９）とは反対側の端部に少なくとも１個の側方開口部（２６）を設けたことを特徴とするアンカー素子。
【請求項２】
前記急勾配ねじ山部（２９）は、スリーブ部分（２１）の外面（３２）から少なくとも２ｍｍのねじ山高さ（Ｈ）を有するものとした請求項１記載のアンカー素子。
【請求項３】
前記急勾配ねじ山部（２９）は、３５゜〜８５゜の間の傾斜角度（β）を有するものとした請求項２記載のアンカー素子。
【請求項４】
前記急勾配ねじ山部（２９）は、スリーブ部分（２１）の長手方向軸線（２０）にほぼ平行な２個の領域（３０）に配置した請求項１乃至３のうちのいずれか一項に記載のアンカー素子。
【請求項５】
前記スリーブ部分（２１）の前方端部（３４）に設けたスリット（２５）の側方に、少なくとも１個の側方開口部（２６）を設け、この側方開口部（２６）を前記スリーブ部分（２１）のチャンネル（２３）に開口させた請求項１乃至４のうちのいずれか一項に記載のアンカー素子。
【請求項６】
前記スリーブ部分（２１）の外面に、長手方向軸線（２０）に平行な方向に延在する凸部（３１）を設け、この凸部（３１）は、前記急勾配ねじ山部（２９）のねじ込み方向に傾斜するくさび状の凸部とした請求項１乃至５のうちのいずれか一項に記載のアンカー素子。
【発明の詳細な説明】
【技術分野】
【０００１】
本発明は、収容孔に固着剤により係止するアンカー素子であって、ロッド状アンカー部分と、このアンカー部分に対して連結可能なスリーブ部分とを具え、ロッド状のアンカー部分のための収容部を前記スリーブ部分の端部に設けた該アンカー素子に関するものである。
【背景技術】
【０００２】
固着剤またはモルタルにより係止するアンカーロッドを有し、このアンカーロッドの挿入側の先端にねじスリーブをねじ付けるアンカー素子は既知である。（例えば、特許文献１参照。）このねじスリーブの雄ねじ部は、アンカーロッドのねじ山よりも拡大し、また回転の指向性が異なる。ねじスリーブの雄ねじ部は、孔の内壁を補償するよう作用し、モルタル物質の硬化後に孔の内壁とモルタル物質との間の結合を、強化する。
【特許文献１】欧州特許第１１７６３２１号明細書
【発明の開示】
【発明が解決しようとする課題】
【０００３】
しかし、このアンカー素子は、カートリッジに収容した固着剤と一緒にしか使用できないものであり、孔にアンカーロッドを打ち込む前にカートリッジを孔に導入しなければならないという欠点がある。さらに、このアンカーロッドは固着剤の硬化前には荷重を支持することはできない。
【０００４】
したがって、本発明の目的は、カートリッジに収容した固着剤と一緒に使用することなく、また固着剤の硬化前にも荷重を支持できて上述の問題を解決するアンカー素子を得るにある。
【課題を解決するための手段】
【０００５】
この目的を達成するため、本発明アンカー素子は、スリーブ部分の外面に少なくとも部分的な急勾配ねじ山部を設け、スリーブ部分の収容部とは反対側の端部に少なくとも１個の側方開口部を設けたことを特徴とする。
【発明の効果】
【０００６】
本発明のこの構成によれば、アンカー素子の孔内への据え付け作業後に、急勾配ねじ山部が孔壁に形状ロックすることにより部分的な荷重を支持することができる。さらに、中空アンカーロッドまたは中空ロッド状アンカー部分から固着剤を孔内に注入し、この固着剤は、スリーブ部分における少なくとも１個の側方開口部から孔内に流出する。
【０００７】
さらに、急勾配ねじ山部が孔壁に形状ロックして固定されているため、モルタル物質の流出圧力によってアンカー素子は孔から抜け出ることはなくなる。さらにまた、アンカー素子の据え付け前に、固着剤またはモルタルを詰めたカートリッジを孔内に挿入しておく必要もなくなる。
【発明を実施するための最良の形態】
【０００８】
本発明の好適な実施例においては、急勾配ねじ山部は、スリーブ部分の外面から少なくとも２ｍｍのねじ山高さを有するものとする。
【０００９】
良好な保持力を得るためには、急勾配ねじ山部は、３５゜〜８５゜の間の傾斜角度を有するものとすると好適である。
【００１０】
スリーブ部分の好適なジオメトリを得るには、急勾配ねじ山部は、スリーブ部分の長手方向軸線にほぼ平行な２個の領域に配置するとよい。この領域は、急勾配ねじ山部よりも低い高さであり、固着剤の分散をよくする凸部を設けた軸線方向に領域と交互に配置するとよい。この凸部は据え付け方向にくさび状をなすリブにより構成することができる。
【００１１】
本発明の好適な実施例においては、スリーブ部分の前方端部に設けたスリットの側方に、少なくとも１個の側方開口部を設け、この側方開口部をスリーブ部分のチャンネルに開口させる。この構成によれば、スリーブ部分の鋳造の際に、側方開口部を直接形成することができる。事後の側方開口部を形成する必要はない。
【００１２】
さらに、本発明の好適な実施例においては、スリーブ部分の外面に、長手方向軸線に平行な方向に延在する凸部を設け、この凸部は、急勾配ねじ山部のねじ込み方向に傾斜するくさび状の凸部とする。この構成によれば、スリーブ部分またはアンカー素子の据え付け後の回転を防止することができる。
【００１３】
次に、図面につき本発明の好適な実施例を説明する。
【実施例】
【００１４】
図面には、本発明によるアンカー素子１０の好適な実施例を示す。このアンカー素子１０は、少なくとも部分的に雄ねじ部１２を設けたロッド状のアンカー部分１１と、スリーブ部分２１とを設ける。スリーブ部分２１の一方の端部に、ロッド状のアンカー部分１１を収容するための雌ねじ部２２を設けた収容部１９を設け、図１にはこの収容部１９における雄ねじ部１２を点線で示す。ロッド状のアンカー部分１１は、最大で、スリーブ２１のチャンネル２３に設けたスリーブ２１の止め部２４までねじ込むことができる。
【００１５】
スリーブ部分２１の外面に、スリーブの長手方向軸線２０にほぼ平行な２個の領域２８における凸部２７と、同様に長手方向軸線２０に平行な２個の領域３０における急勾配ねじ山部２９とを交互に配列する。凸部２７は、長手方向軸線２０に直交する方向に延在しかつ、アンカー素子１０の据え付け方向４０に傾斜するくさび状リブとして構成する。
【００１６】
ねじ状リブとして構成した急勾配ねじ山部２９の傾斜角度βは５０゜のピッチを有するものとする。βは、当業者にはよく知られている以下の公式、即ち、
ｔａｎβ＝Ｐh／（πｄ）
（ただし、Ｐh は、ねじ輪郭のピッチ、ｄは、スリーブ部分２１の直径）
から規定される。このピッチは、３５°〜８５゜の間の他の傾斜角度を有するものとすることもできる。スリーブ２１の外面３２から測定した急勾配ねじ山部２９のねじ山高さＨは、２ミリ以上（≧２ｍｍ）とすると好適である。ねじ状リブまたは急勾配ねじ山部２９のねじ山角度は２５゜〜９０゜の間の値とすると好適である。
【００１７】
るアンカー素子１０は、予め据え付け方向４０にスリーブ部分２１を孔内に据え付けておき、この孔の直径は、スリーブ２１の幅、もしくは互いに対向する２個の急勾配ねじ山部２９間の直径ＤH よりも小さく、ロッド状アンカー部分１１の直径ＤA よりも大きいものとし、急勾配ねじ山部２９によって孔壁にねじ跡が付いて形状ロックを生ずるようにする。これにより、固着剤を導入して硬化する前に保持力が得られ、アンカー素子１０の据え付け作業直後に部分的に荷重をかけることができる。
【００１８】
収容部１９の領域で、スリーブ部分２１の外面に、急勾配ねじ山部２９のねじりの方向３３に、くさび状に傾斜した長手方向軸線２０の方向に延在する凸部３１またはリブを設ける。これら凸部２１は据え付け作業を制動するよう作用し、スリーブ部分２１が回転しないように阻止する。凸部３１は、図示の位置とは異なる位置でスリーブ部分に設けることもできる。
【００１９】
スリーブ部分２１の据え付け方向前方における端部３４には、チャンネル２３に開口するスリット２５を設け、このスリット２５の側方においてスリーブ部分２１の壁面に２個の側方開口部２６を設ける。
【００２０】
アンカー素子１０の据え付け後に、ロッド状アンカー部分１１のチャンネル１３、およびこのチャンネルに連続するスリーブ部分２１のチャンネル２３から、開口部２６を経て孔壁とアンカー素子１０との間の空間に固着剤を導入し、孔を設けた基礎構造の表面に固着剤が溢れ出るまで注入する。くさび状リブとして構成した凸部２７は、固着剤の分散を良好にし、アンカー素子１０の結合性を向上する。本発明によれば、アンカー素子１０を打ち込む前に、孔内に固着剤を詰めたカートリッジを挿入する必要はない。固着剤の硬化後に、アンカー素子１０は孔内で所望の最終強度で係止され、ロッド状アンカー部分の荷重掛合部が孔から露出することができる。
【００２１】
スリーブ部分２１は、例えば、可鍛鋳鉄部分から形成することができ、雌ねじ部２２、凸部２７，３１、および急勾配ねじ山部２９は、鋳造工程で予め形成し、これによれば、スリーブ部分の製造コストが安価になる。
【図面の簡単な説明】
【００２２】
【図１】本発明によるアンカー素子のスリーブ部分にロッド状アンカー部分をねじ込んだ状態を示す側面図である。
【図２】アンカー素子のスリーブ部分の図１におけるII‐II線上の縦断面図である。
【図３】スリーブ部分の斜視図である。
【符号の説明】
【００２３】
１０  アンカー素子
１１  アンカー部分
１２  雄ねじ部
１３  チャンネル
１９  収容部
２０  長手方向軸線
２１  スリーブ部分
２２  雌ねじ部
２３  チャンネル
２４  止め部
２５  スリット
２６  側方開口部
２７  凸部
２８  領域
２９  急勾配ねじ山部
３０  領域
３１  凸部
３２  外面
３３  ねじりの方向
３４  端部
４０  据え付け方向
【図１】
2006112625.tif 000003
【図２】
2006112625.tif 000004
【図３】
2006112625.tif 000005